(57)【要約】  輝度ムラの発生を抑制しながら、異音の発生を抑制することが可能な照明装置を提供する。この照明装置は、発光モジュール（６）が収容されるバックシャーシ（５）と、拡散板（８）と、支持部材（１０）とを備えている。そして、支持部材（１０）は、一対の端部を持ち、かつ、拡散板（８）側に向かって凸状となるように形成された線状体（１０ａ）を含み、線状体（１０ａ）の一対の端部がバックシャーシ（５）に取り付けられているとともに、線状体（１０ａ）の頂点部分が拡散板（８）を支持している。
2011016271.tif 000002
【特許請求の範囲】
【請求項１】
発光モジュールと、
前記発光モジュールが収容される収容部材と、
前記発光モジュールを覆うように配置され、前記発光モジュールから発せられる光の拡散を行う光学部材と、
前記収容部材に取り付けられ、前記発光モジュール側から前記光学部材の支持を行う支持部材とを備え、
前記支持部材は、一対の端部を持ち、かつ、前記収容部材に取り付けたときに前記光学部材側に向かって凸状となるように形成された線状体を含み、
前記線状体の一対の端部のそれぞれが前記収容部材に取り付けられているとともに、前記線状体の前記光学部材側の頂点部分が前記光学部材を支持していることを特徴とする照明装置。
【請求項２】
前記線状体の前記光学部材側の頂点部分が前記光学部材を点状に支持していることを特徴とする請求項１に記載の照明装置。
【請求項３】
前記線状体の前記光学部材側の頂点部分が湾曲していることを特徴とする請求項１または２に記載の照明装置。
【請求項４】
前記光学部材の平面視における形状が長方形状となっており、
平面視において前記光学部材の長手方向に対して前記線状体が平行となっていることを特徴とする請求項１〜３のいずれかに記載の照明装置。
【請求項５】
前記収容部材に取り付け可能な取付片が前記支持部材に設けられており、
前記取付片が前記線状体の一対の端部側に配置されていることを特徴とする請求項１〜４のいずれかに記載の照明装置。
【請求項６】
前記発光モジュールは、発光素子と、前記発光素子が実装される実装基板とを含んでいるとともに、前記実装基板が締結部材で前記収容部材に締結されることによって前記収容部材に収容された状態となっており、
前記取付片が締結部材としての機能も有し、前記収容部材に対する前記実装基板の締結の少なくとも一部が前記取付片を用いてなされていることを特徴とする請求項５に記載の照明装置。
【請求項７】
前記線状体が光の反射を行うことが可能な材料からなっていることを特徴とする請求項１〜６のいずれかに記載の照明装置。
【請求項８】
前記光の反射を行うことが可能な材料が高反射材料を含有する樹脂であることを特徴とする請求項７に記載の照明装置。
【請求項９】
請求項１〜８のいずれかに記載の照明装置と、
前記照明装置により照明される表示パネルとを備えていることを特徴とする表示装置。
【請求項１０】
請求項９に記載の表示装置を備えていることを特徴とするテレビ受信装置。
【発明の詳細な説明】
【技術分野】
【０００１】
本発明は、照明装置、表示装置およびテレビ受信装置に関する。
【背景技術】
【０００２】
従来、テレビ受信装置の表示部となる表示装置として、非発光の表示パネルである液晶表示パネルを用いた液晶表示装置が知られている（たとえば、特許文献１参照）。【０００３】
従来の液晶表示装置では、液晶表示パネルが非発光であるため、液晶表示パネルの背面側（液晶表示パネルの表示面側とは反対側）に照明装置を設置し、その照明装置で液晶表示パネルを照明することにより表示動作を行うようになっている。なお、従来では、液晶表示装置用の照明装置はバックライトユニットと称されており、大別すると直下型とエッジライト型とに分類される。以下に、図１５を参照して、従来の直下型のバックライトユニットの構成について簡単に説明する。なお、図１５には、従来の液晶表示装置（直下型のバックライトユニット）の一部を拡大した概略図が示されている。【０００４】
従来の直下型のバックライトユニット１１０では、図１５に示すように、光源として冷陰極管１０１が用いられており、その冷陰極管１０１が液晶表示パネル１２０側に開口を持ったバックシャーシ１０２に収容されている。また、バックシャーシ１０２の液晶表示パネル１２０側の開口は拡散板１０３で塞がれており、それによって冷陰極管１０１からの光が拡散されるようになっている。【０００５】
また、バックシャーシ１０２には、拡散板１０３を冷陰極管１０１側から支持する支持部材１０４が取り付けられている。この支持部材１０４の支持部（拡散板１０３を実際に支持する部分）１０４ａは柱状体からなっており、拡散板１０３側に向かって先細り形状となるように形成されている。なお、支持部材１０４は、支持部１０４ａに加えて、冷陰極管１０１を把持するための把持部１０４ｂも有している。すなわち、バックシャーシ１０２に収容された冷陰極管１０１は、支持部材１０４の把持部１０４ｂによって保持されている。【０００６】
ところで、従来では、支持部材１０４の支持部１０４ａの影が拡散板１０３に映るのを抑制するために、支持部１０４ａの先端部分を尖らすことで細くし、その尖らした先端部分で拡散板１０３を支持していた。なお、このような対策を施さなければ、支持部材１０４の支持部１０４ａの影が拡散板１０３に映り、それが輝度ムラの発生の原因となってしまう。
【先行技術文献】
【特許文献】
【０００７】
【特許文献１】特開２００６−２８６３４１号公報
【発明の概要】
【発明が解決しようとする課題】
【０００８】
しかしながら、図１５に示した形状となるように支持部材１０４を形成した場合には、支持部１０４ａの剛性が低くなるので、熱膨張により拡散板１０３が反ると、拡散板１０３に押圧されることで支持部１０４ａが撓んでしまう。このため、支持部材１０４の支持部１０４ａと拡散板１０３とが擦れて異音が発生するという不都合があった。【０００９】
この不都合を解消する方法としては、図１６に示すように、支持部材１０４の支持部１０４ａの先端部分に丸みを持たせ、支持部１０４ａを太くすることで支持部１０４ａの剛性を高めるという方法が考えられる。しかしながら、図１６に示した支持部材１０４を用いた場合には、支持部１０４ａの影が拡散板１０３に映り易くなってしまい、輝度ムラが発生する。【００１０】
本発明は、上記の課題を解決するためになされたものであり、輝度ムラの発生を抑制しながら、異音の発生を抑制することが可能な照明装置、表示装置およびテレビ受信装置を提供することを目的とする。
【課題を解決するための手段】
【００１１】
上記の目的を達成するために、本発明の第１の局面による照明装置は、発光モジュールと、発光モジュールが収容される収容部材と、発光モジュールを覆うように配置され、発光モジュールから発せられる光の拡散を行う光学部材と、収容部材に取り付けられ、発光モジュール側から光学部材の支持を行う支持部材とを備えている。そして、支持部材は、一対の端部を持ち、かつ、収容部材に取り付けたときに光学部材側に向かって凸状となるように形成された線状体を含み、線状体の一対の端部のそれぞれが収容部材に取り付けられているとともに、線状体の光学部材側の頂点部分が光学部材を支持している。【００１２】
第１の局面による照明装置では、上記のような支持部材で光学部材を支持することによって、光学部材を実際に支持する支持部材の支持部、すなわち、線状体を細くすることで支持部（線状体）の影が光学部材に映るのを抑制したとしても、支持部（線状体）の一対の端部のそれぞれは収容部材に取り付けられているので、支持部（線状体）の剛性が低くなるのを抑制することができる。言い換えると、支持部材の支持部（線状体）の剛性が低くなるのを抑制しつつ、支持部（線状体）の影が光学部材に映るのを抑制することができる。このため、支持部材の支持部（線状体）の影が光学部材に映ることに起因する輝度ムラの発生、および、支持部材の支持部（線状体）の剛性が低いことに起因する異音の発生の両方を同時に抑制することが可能となる。【００１３】
また、上記した第１の局面による照明装置において、線状体の光学部材側の頂点部分が光学部材を点状に支持していることが好ましい。このように構成すれば、線状体と光学部材との接触部分が非常に小さくなり、線状体の影が光学部材に映るのをより抑制することができる。【００１４】
また、上記した第１の局面による照明装置において、線状体の光学部材側の頂点部分が湾曲していることが好ましい。このように構成すれば、線状体と光学部材との接触を点接触にすることができる。このため、容易に、線状体の影が光学部材に映るのをより抑制することができる。【００１５】
また、上記した第１の局面による照明装置において、光学部材の平面視における形状が長方形状となっており、平面視において光学部材の長手方向に対して線状体が平行となっていることが好ましい。このように構成すれば、光学部材側から加わる力に対する線状体の剛性を高めることができる。【００１６】
また、上記した第１の局面による照明装置において、収容部材に取り付け可能な取付片が支持部材に設けられており、その取付片が線状体の一対の端部側に配置されていることが好ましい。このように構成すれば、容易に、線状体の一対の端部のそれぞれを収容部材に取り付けることができる。【００１７】
支持部材に取付片が設けられている構成において、発光モジュールは、発光素子と、発光素子が実装される実装基板とを含んでいるとともに、実装基板が締結部材で収容部材に締結されることによって収容部材に収容された状態となっており、取付片が締結部材としての機能も有し、収容部材に対する実装基板の締結の少なくとも一部が取付片を用いてなされていることが好ましい。このように構成すれば、発光モジュールを固定するための締結部材の使用数を減らすことができる。【００１８】
また、上記した第１の局面による照明装置において、線状体が光の反射を行うことが可能な材料からなっていることが好ましい。このように構成すれば、発光モジュールからの光が線状体に吸収され難くなるので、光学部材に入射する光が増大し、光の利用効率が向上する。【００１９】
この場合、光の反射を行うことが可能な材料が高反射材料を含有する樹脂であることが好ましい。このように構成すれば、容易に、線状体の表面の光反射率を高めることができる。なお、高反射材料を含有する樹脂としては、たとえば、酸化チタンや硫酸バリウムなどを含有するポリカーボネート樹脂が考えられる。【００２０】
また、本発明の第２の局面による表示装置は、上記した第１の局面による照明装置と、その照明装置により照明される表示パネルとを備えている。このように構成すれば、輝度ムラの発生を抑制しながら、異音の発生を抑制することが可能な表示装置を得ることができる。【００２１】
また、本発明の第３の局面によるテレビ受信装置は、上記した第２の局面による表示装置を備えている。このように構成すれば、輝度ムラの発生を抑制しながら、異音の発生を抑制することが可能なテレビ受信装置を得ることができる。
【発明の効果】
【００２２】
以上のように、本発明によれば、輝度ムラの発生を抑制しながら、異音の発生を抑制することが可能な照明装置、表示装置およびテレビ受信装置を容易に得ることができる。
【図面の簡単な説明】
【００２３】
【図１】本発明の一実施形態による液晶表示装置の分解斜視図である。
【図２】本発明の一実施形態による液晶表示装置に設置されるバックライトユニットの一部（発光モジュールの周辺部）を拡大した断面図である。
【図３】拡散レンズ付きＬＥＤおよび拡散レンズを持たないＬＥＤの照射方向による照度（単位：Ｌｕｘ）の異なり方を示すグラフである。
【図４】本発明の一実施形態による液晶表示装置に設置されるバックライトユニットの一部（支持部材の周辺部）を拡大した断面図である。
【図５】図４に示した支持部材の図である。
【図６】図５に示した支持部材の線状体の断面形状を説明するための図（図５のＡ−Ａ´線に沿った断面図）である。
【図７】図５に示した支持部材の平面視における配置位置を説明するための図である。
【図８】支持部材の配置位置の変形例を説明するための図である。
【図９】支持部材の配置位置の変形例を説明するための図である。
【図１０】支持部材の配置位置の変形例を説明するための図である。
【図１１】本発明の一実施形態による液晶表示装置が装着されたテレビ受信装置の分解斜視図である。
【図１２】支持部材の変形例を示した図である。
【図１３】支持部材の変形例を示した図である。
【図１４】本発明の変形例による液晶表示装置に使用される支持部材の図である。
【図１５】従来の液晶表示装置（バックライトユニット）の一部を拡大した概略図である。
【図１６】従来の液晶表示装置（バックライトユニット）の一部を拡大した概略図である。
【発明を実施するための形態】
【００２４】
以下に、図１〜図７を参照して、本実施形態による表示装置の構成について説明する。
【００２５】
この表示装置は液晶表示装置であって、図１に示すように、表示面１ａを有する液晶表示パネル１や、液晶表示パネル１の裏面（表示面１ａとは反対側の面）側に設置された直下型のバックライトユニット２などを備えている。なお、液晶表示パネル１は、本発明の「表示パネル」の一例であり、バックライトユニット２は、本発明の「照明装置」の一例である。
【００２６】
液晶表示パネル１は、液晶層（図示せず）と、一対のガラス基板３と、偏光板４とを少なくとも含んでいる。一対のガラス基板３はシール材（図示せず）を挟んで貼り合わされており、その間に液晶層が挟持されている。また、偏光板４は、一対のガラス基板３の液晶層側とは反対側の面上にそれぞれ配置されている。なお、図１には、液晶表示パネル１の表示面１ａ側に位置する偏光板４のみを図示している。
【００２７】
また、バックライトユニット２は、バックシャーシ５と、発光モジュール６と、反射シート７と、拡散板８と、光学シート９とを少なくとも含んでいる。なお、バックシャーシ５は、本発明の「収容部材」の一例であり、拡散板８は、本発明の「光学部材」の一例である。
【００２８】
バックシャーシ５は、金属製の板状部材を加工することによって得られるものであり、液晶表示パネル１側が開口された略箱状に形成されている。すなわち、バックシャーシ５は、底部と、その底部の外周に立設された側部とを有していることになる。また、バックシャーシ５の側部で囲まれた領域は略長方形状となっており、その略長方形状の領域を収容領域としている。
【００２９】
発光モジュール６は、照明光（液晶表示パネル１を照明するための光）を生成するものであって、バックシャーシ５の収容領域に複数収容されているとともに、バックシャーシ５の長手方向および短手方向に互いに所定の間隔を隔てて列状に配列されている。また、図示しないが、バックシャーシ５の長手方向に隣り合う発光モジュール６同士は、コネクタなどによって電気的に接続されている。そして、発光モジュール６は、バックライトユニット２を液晶表示パネル１の裏面側に設置したときに、液晶表示パネル１の直下（液晶表示パネル１の裏面と対向する領域）に位置するようになっている。
【００３０】
また、発光モジュール６は、図１および図２に示すように、発光素子としてのＬＥＤ（発光ダイオード）６１と、実装面が略長方形状に形成された実装基板６２とを少なくとも有している。そして、所定数のＬＥＤ６１が１つの実装基板６２の実装面に実装されることでモジュール化されている。また、後に詳細に説明するが、発光モジュール６は、その実装基板６２がバックシャーシ５の底部に取り付けられることで固定されている。
【００３１】
なお、バックシャーシ５に収容される発光モジュール６の数は特に限定されるものではなく、用途に応じて変更可能である。さらに、１つの実装基板６２の実装面に実装されるＬＥＤ６１の数についても特に限定されるものではない。たとえば、一方の実装基板６２の実装面に実装するＬＥＤ６１の数と他方の実装基板６２の実装面に実装するＬＥＤ６１の数とを異ならせるようにしてもよい。
【００３２】
また、発光モジュール６は、ＬＥＤ６１からの光を拡散するための拡散レンズ６３も有している。この拡散レンズ６３は、１つのＬＥＤ６１に対して１つずつ割り当てられているとともに、ＬＥＤ６１の発光面側を覆っている。これにより、ＬＥＤ６１の使用数を減らしたとしても、ＬＥＤ６１からの光を有効発光エリアの略全域にムラなく行き渡らせることができる。
【００３３】
ところで、ＬＥＤ６１を拡散レンズ６３で覆わなければ、光軸の角度である９０°が照度のピークとなり、そこから離れるにつれて急激に照度が落ちていく（図３中のＬ１参照）。その一方、ＬＥＤ６１を拡散レンズ６３で覆うと、一定以上の照度を確保できる領域が広がり、光軸と異なる角度に照度のピークを設定することが可能となる（図３中のＬ２参照）。
【００３４】
さらに、拡散レンズ６３には、複数本の柱状の脚部６３ａが一体的に形成されている。そして、拡散レンズ６３の固定は、その脚部６３ａを実装基板６２の実装面に接着することによって行っている。このような固定方法で拡散レンズ６３を固定すると、実装基板６２と拡散レンズ６３との間に隙間が設けられる。このため、実装基板６２と拡散レンズ６３との間に空気流が生じるので、ＬＥＤ６１が冷却されることになる。
【００３５】
反射シート７は、樹脂製のシート部材を加工したものからなっており、複数の穴部７ａが形成された底部と、底部の外周に立設された側部とを有している。そして、反射シート７は、その穴部７ａから拡散レンズ６３（ＬＥＤ６１）が突出するように、発光モジュール６と共にバックシャーシ５の収容領域に収容されている。言い換えると、バックシャーシ５の底面および実装基板６２の実装面が反射シート７の底部によって覆われ、バックシャーシ５の内側面が反射シート７の側部によって覆われている。このような反射シート７を設けることによって、反射シート７で光の反射が行われることにより液晶表示パネル１側に進行する光が増大するので、光の利用効率が向上する。
【００３６】
また、図１に示すように、拡散板８は、略長方形状に形成された樹脂製の板状部材からなっているとともに、バックシャーシ５の液晶表示パネル１側の開口を塞いでいる。すなわち、発光モジュール６が拡散板８によって覆われている。これにより、発光モジュール６からの光は、拡散板８で拡散された後に液晶表示パネル１を照明することになる。
【００３７】
光学シート９は、拡散板８よりも薄い樹脂製のシート状部材からなっており、拡散板８の液晶表示パネル１側に配置されている。そして、この光学シート９によって、拡散板８を透過した光の拡散や集光などが行われる。なお、使用する光学シート９の種類は用途に応じて変更可能である。
【００３８】
ここで、本実施形態では、図４〜図６に示すような支持部材１０がバックシャーシ５の底部に取り付けられており、その支持部材１０によって拡散板８が発光モジュール６側から支持されている。なお、図面を見易くするために、図１には支持部材１０を図示していない。
【００３９】
具体的に説明すると、本実施形態の支持部材１０は、高反射ポリカーボネート樹脂（酸化チタンなどの光反射材料を含有するポリカーボネート樹脂）からなる線状体１０ａを支持部（拡散板８を実際に支持する部分）として有している。支持部材１０の支持部として機能する線状体１０ａは、一対の端部を持ち、かつ、バックシャーシ５の底部に取り付けたときに拡散板８側に向かって凸状となるように形成されている。そして、拡散板８の支持は、支持部材１０の線状体１０ａの拡散板８側の頂点部分によって行われている。
【００４０】
また、支持部材１０の線状体１０ａの拡散板８側の頂点部分は湾曲しているとともに、その断面形状が円形状（直径：約１．７５ｍｍ以下）となっている。このため、支持部材１０によって拡散板８が支持された状態においては、線状体１０ａの拡散板８側の頂点部分が拡散板８に対して点接触している。すなわち、拡散板８は、支持部材１０の線状体１０ａの拡散板８側の頂点部分によって点状に支持されていることになる。なお、支持部材１０の線状体１０ａの断面形状としては、円形状でなくてもよい。
【００４１】
さらに、支持部材１０の線状体１０ａの一対の端部のそれぞれには、係合片１０ｂが一体的に設けられている。そして、バックシャーシ５の底部に対する支持部材１０の取り付けは、その係合片（線状体１０ａの一対の端部）１０ｂをバックシャーシ５の底部に係合させることによって行っている。なお、係合片１０ｂは、本発明の「取付片」の一例である。
【００４２】
また、支持部材１０は、図７に示すように、平面視において、その線状体１０ａが拡散板８（図１参照）の長手方向であるＡ方向に対して平行となり、かつ、実装基板６２と完全に重畳するように配置されている。そして、図示しないが、拡散板８の少なくとも中央領域が支持されるように、複数の支持部材１０がバランスよく並べられている。
【００４３】
なお、図７に示した支持部材１０の配置例は一例であって、用途などに応じて支持部材１０の配置位置を変更してもよい。たとえば、図８に示すように、平面視において、線状体１０ａが拡散板８（図１参照）の短手方向であるＢ方向に対して平行となるように支持部材１０を配置してもよい。
【００４４】
また、図９に示すように、平面視において、隣り合う実装基板６２の間を線状体１０ａが跨ぐように支持部材１０を配置してもよいし、図１０に示すように、平面視において、線状体１０ａが斜めに傾くように支持部材１０を配置してもよい。
【００４５】
ところで、バックシャーシ５（図１参照）の底部に対する実装基板６２の取り付け（締結）は、通常は別途準備したリベット（締結部材）１１を用いてなされるが、この実施形態では支持部材１０の係合片１０ｂも締結部材として機能させている。つまり、バックシャーシ５の底部と実装基板６２とを締結するための締結部材として、リベット１１と支持部材１０の係合片１０ｂとが併用されている。なお、バックシャーシ５の底部と実装基板６２とが支持部材１０の係合片１０ｂを用いて締結されると、その断面構造は図４に示すようになる。
【００４６】
本実施形態では、このような構成のバックライトユニット２が液晶表示装置に設置されている。
【００４７】
また、図１に示すように、液晶表示パネル１とバックライトユニット２との間には、枠状に形成された樹脂製のフレーム１２が設置されている。そして、このフレーム１２の枠部で光学シート９の外縁が押え付けられることによって、拡散板８および光学シート９の順番で積層された積層体が保持されている。
【００４８】
また、液晶表示パネル１の表示面１ａ側には、バックシャーシ５と共に収容部材をなす金属製のベゼル１３が設置されている。このベゼル１３は、開口部１３ａが形成された天面部と、天面部の外周に立設された側部とを有しており、その側部がバックシャーシ５の側部に取り付けられることによって固定されている。また、ベゼル１３の開口部１３ａからは、液晶表示パネル１の表示面１ａが露出されている。
【００４９】
なお、本実施形態による表示装置が装着されるテレビ受信装置は、たとえば、図１１に示すような構成となる。すなわち、上記した液晶表示パネル１およびバックライトユニット２は、電源３１やチューナ３２などに接続され、表キャビネット３３と裏キャビネット３４との間に挟持される。そして、その状態で、裏キャビネット３４に取り付けられるスタンド３５によって保持される。
【００５０】
本実施形態では、上記のような支持部材１０を用いることによって、支持部材１０の線状体１０ａを細くすることで線状体１０ａの影が拡散板８に映るのを抑制したとしても、線状体１０ａの一対の端部のそれぞれはバックシャーシ５に取り付けられているので、線状体１０ａの剛性が低くなるのを抑制することができる。言い換えると、支持部材１０の線状体１０ａの剛性が低くなるのを抑制しつつ、線状体１０ａの影が拡散板８に映るのを抑制することができる。このため、支持部材１０の線状体１０ａの影が拡散板８に映ることに起因する輝度ムラの発生、および、支持部材１０の線状体１０ａの剛性が低いことに起因する異音の発生の両方を同時に抑制することが可能となる。
【００５１】
なお、本実施形態では、図３に示したような光指向性を持つ発光体（拡散レンズ６３で覆われたＬＥＤ６１）を発光モジュール６の光源としているが、線径の細い線状体１０ａが支持部（拡散板８を実際に支持する部分）とされている支持部材１０を用いることで、支持部材１０の支持部としての線状体１０ａの影が拡散板８にほとんど映らなくなる。
【００５２】
また、本実施形態では、上記のように、支持部材１０の線状体１０ａの頂点部分を湾曲させ、かつ、その断面形状を円形状とすることによって、拡散板８と支持部材１０の線状体１０ａとの接触が点接触となるので、容易に、線状体１０ａの影が拡散板８に映るのをより抑制することができる。
【００５３】
また、本実施形態では、上記のように、平面視において線状体１０ａが拡散板８の長手方向に対して平行となるように支持部材１０を配置することによって、拡散板８側から加わる力に対する支持部材１０の線状体１０ａの剛性を高めることができる。
【００５４】
また、本実施形態では、上記のように、支持部材１０の線状体１０ａの一対の端部のそれぞれに、バックシャーシ５の底部と係合する係合片１０ｂを設けることによって、容易に、支持部材１０の線状体１０ａの一対の端部のそれぞれをバックシャーシ５の底部に取り付けることができる。
【００５５】
また、本実施形態では、上記のように、支持部材１０の係合片１０ｂを、バックシャーシ５の底部と実装基板６２とを締結するための締結部材として機能させることによって、リベット１１の使用数を減らすことができる。
【００５６】
また、本実施形態では、上記のように、支持部材１０の線状体１０ａの構成材料を高反射ポリカーボネート樹脂とすることによって、発光モジュール６からの光が支持部材１０の線状体１０ａに吸収され難くなるので、拡散板８に入射する光が増大し、光の利用効率が向上する。
【００５７】
なお、今回開示された実施形態は、すべての点で例示であって制限的なものではないと考えられるべきである。本発明の範囲は、上記した実施形態の説明ではなく特許請求の範囲によって示され、さらに、特許請求の範囲と均等の意味および範囲内でのすべての変更が含まれる。
【００５８】
たとえば、上記実施形態では、照明装置を液晶表示装置用のバックライトユニットとして用いる例について説明したが、本発明はこれに限らず、液晶表示装置以外の装置に照明装置を設置してもよい。
【００５９】
また、上記実施形態では、線状体の一対の端部のそれぞれに取付片を設けるようにしたが、本発明はこれに限らず、図１２および図１３に示すように、線状体１０ａの両端部を共通の基台１０ｃで保持し、その基台１０ｃに取付片を設けてもよい。また、取付片としては、略Ｌ字状の爪１０ｄ（図１２参照）であってもよいし、先端が枝分かれした突起１０ｅ（図１３参照）であってもよい。なお、爪１０ｄおよび突起１０ｅは、本発明の「取付片」の一例である。
【００６０】
また、上記実施形態では、ＬＥＤを光源として用いたが、本発明はこれに限らず、ＬＥＤ以外の発光体を光源として用いてもよい。たとえば、冷陰極管を光源として用いてもよい。
【００６１】
冷陰極管を光源として用いる場合、図１４に示すように、支持部材１０に把持部１０ｆを設け、その把持部１０ｆで冷陰極管６０を把持（保持）するようにしてもよい。
【符号の説明】
【００６２】
１  液晶表示パネル（表示パネル）
２  バックライトユニット（照明装置）
５  バックシャーシ（収容部材）
６  発光モジュール
８  拡散板（光学部材）
１０  支持部材
１０ａ  線状体
１０ｂ  係合片（取付片）
１０ｄ  爪（取付片）
１０ｅ  突起（取付片）
６１  ＬＥＤ（発光素子）
６２  実装基板
【図１】
2011016271.tif 000003
【図２】
2011016271.tif 000004
【図３】
2011016271.tif 000005
【図４】
2011016271.tif 000006
【図５】
2011016271.tif 000007
【図６】
2011016271.tif 000008
【図７】
2011016271.tif 000009
【図８】
2011016271.tif 000010
【図９】
2011016271.tif 000011
【図１０】
2011016271.tif 000012
【図１１】
2011016271.tif 000013
【図１２】
2011016271.tif 000014
【図１３】
2011016271.tif 000015
【図１４】
2011016271.tif 000016
【図１５】
2011016271.tif 000017
【図１６】
2011016271.tif 000018
【手続補正書】
【提出日】平成24年1月19日(2012.1.19)
【手続補正１】
【補正対象書類名】特許請求の範囲
【補正対象項目名】全文
【補正方法】変更
【補正の内容】
【特許請求の範囲】
【請求項１】
発光モジュールと、
前記発光モジュールが収容される収容部材と、
前記発光モジュールを覆うように配置され、前記発光モジュールから発せられる光の拡散を行う光学部材と、
前記収容部材に取り付けられ、前記発光モジュール側から前記光学部材の支持を行う支持部材とを備え、
前記支持部材は、一対の端部を持ち、かつ、前記収容部材に取り付けたときに前記光学部材側に向かって凸状となるように形成された線状体を含み、
前記線状体の一対の端部のそれぞれが前記収容部材に取り付けられているとともに、前記線状体の前記光学部材側の頂点部分が前記光学部材を支持し、
前記光学部材の平面視における形状が長方形状となっており、
平面視において前記光学部材の長手方向に対して前記線状体が平行となっていることを特徴とする照明装置。
【請求項２】
発光モジュールと、
前記発光モジュールが収容される収容部材と、
前記発光モジュールを覆うように配置され、前記発光モジュールから発せられる光の拡散を行う光学部材と、
前記収容部材に取り付けられ、前記発光モジュール側から前記光学部材の支持を行う支持部材とを備え、
前記支持部材は、一対の端部を持ち、かつ、前記収容部材に取り付けたときに前記光学部材側に向かって凸状となるように形成された線状体を含み、
前記線状体の一対の端部のそれぞれが前記収容部材に取り付けられているとともに、前記線状体の前記光学部材側の頂点部分が前記光学部材を支持し、
前記収容部材に取り付け可能な取付片が前記支持部材に設けられており、
前記取付片が前記線状体の一対の端部側に配置され、
前記発光モジュールは、発光素子と、前記発光素子が実装される実装基板とを含んでいるとともに、前記実装基板が締結部材で前記収容部材に締結されることによって前記収容部材に収容された状態となっており、
前記取付片が締結部材としての機能も有し、前記収容部材に対する前記実装基板の締結の少なくとも一部が前記取付片を用いてなされていることを特徴とする照明装置。
【請求項３】
前記線状体の前記光学部材側の頂点部分が前記光学部材を点状に支持していることを特徴とする請求項１または２に記載の照明装置。
【請求項４】
前記線状体の前記光学部材側の頂点部分が湾曲していることを特徴とする請求項１〜３のいずれかに記載の照明装置。
【請求項５】
前記線状体が光の反射を行うことが可能な材料からなっていることを特徴とする請求項１〜４のいずれかに記載の照明装置。
【請求項６】
前記光の反射を行うことが可能な材料が高反射材料を含有する樹脂であることを特徴とする請求項５に記載の照明装置。
【請求項７】
請求項１〜６のいずれかに記載の照明装置と、
前記照明装置により照明される表示パネルとを備えていることを特徴とする表示装置。
【請求項８】
請求項７に記載の表示装置を備えていることを特徴とするテレビ受信装置。
【国際調査報告】
2011016271.tif 000019
2011016271.tif 000020